(57)【特許請求の範囲】
【請求項１】
空気の給排気にて膨張収縮する空気袋によって施療者の脚にマッサージを施すマッサージ機において、空気圧を検出する空気圧検出部と、上記空気圧検出部での検出値をもとに施療者の脚の太さを判断すると共に上記判断に基いた空気袋への空気の給排気制御によりマッサージ施療を行う制御部とを備え、上記制御部で、間にマッサージ施療を行う施療モードを挟んだマッサージ開始時及びマッサージ終了時に施療者の脚の太さを検出する脚型検出モードを設けたマッサージ制御を行うようにし、マッサージ開始時に脚型検出モードにて検出したき脚の太さとマッサージ終了時に脚型検出モードにて検出した脚の太さとの違いを、マッサージ前後の脚の太さの変化として施療者に通知する通知部を設けたことを特徴とするマッサージ機。
【請求項２】
施療者の脚の長さ方向に沿わせるべく複数の空気袋を並べて配置すると共に各空気袋に対応して空気圧検出部を複数設け、上記制御部で、各空気圧検出部での検出値をもとに各空気袋が施療する施療者の脚の部位を判断すると共に、上記判断した施療者の脚の部位に応じて各空気袋に個別の給排気制御を行うようにしたことを特徴とする請求項１に記載のマッサージ機。
【請求項３】
上記制御部で、各空気袋が施療する施療者の脚の部位を、各空気圧検出部での検出値を基にして、ふくらはぎ部位とそれ以外の部位とに分けて判断すると共に、上記判断したふくらはぎ部位とそれ以外の部位に応じて各空気袋に個別の給排気制御を行うようにしたことを特徴とする請求項２に記載のマッサージ機。
【請求項４】
上記制御部で、空気袋に空気を給気した際の空気圧検出部での検出の有無をもとに施療者の有無を判断するようにしたことを特徴とする請求項１に記載のマッサージ機。
【請求項５】
上記制御部で、マッサージ施療の途中で自動または施療者の手動操作により、施療者の脚の太さを、各空気圧検出部での検出値を基にして新たに判断すると共に、それ以後のマッサージ施療を上記新たな判断に基いて行うようにしたことを特徴とする請求項１に記載のマッサージ機。
【発明の詳細な説明】
【技術分野】
【０００１】
本発明は、マッサージ機に関するものである。
【背景技術】
【０００２】
従来から、施療者の脚部に空気袋の膨縮でマッサージを施すマッサージ機は特許文献１のように知られている。このような従来のマッサージ機には空気袋への空気の給気量を変えてマッサージ施療の強さを調整する機能を備えるものであるが、施療者が施療の度に必要に応じて事前に設定された範囲でのマッサージ施療の強さを変更するものであり、異なる施療者に一定の快適なマッサージ施療を施すことはできないものであった。
【０００３】
つまり、個々体格差の有る施療者の脚部の脚型は施療者毎に異なるものであり、空気袋の膨張具合が同じでも、図１４のように、たとえば脚が太い施療者には膨張する空気袋が早い段階から当たって長時間で且つ高い押圧力でマッサージが施されることとなって過度のマッサージ感を感じさせてしまったり、逆に脚が細い施療者では膨張する空気袋がなかなか当たらずに短時間で且つ低い押圧力でマッサージが施されることとなって物足りないマッサージ感を感じさせてしまったりする。また、施療者の体格差はもとより施療者の座り姿勢の違いなどによっても、空気袋での施療位置に予期した脚の部位が位置しないこともあり、施療箇所に応じた適当なマッサージ施療を行うことができないのである。
【特許文献１】特開平１０−１１８１４１号公報
【発明の開示】
【発明が解決しようとする課題】
【０００４】
本発明は上記の従来の問題点に鑑みて為したものであって、全ての施療者の脚型に応じて適当なマッサージ施療を施すことが可能なマッサージ機を提供することを課題とするものである。
【課題を解決するための手段】
【０００５】
上記課題を解決するために本発明の請求項１に係るマッサージ機は、空気の給排気にて膨張収縮する空気袋１１によって施療者の脚にマッサージを施すマッサージ機１において、空気圧を検出する空気圧検出部２４と、上記空気圧検出部２４での検出値をもとに施療者の脚の太さを判断すると共に上記判断に基いた空気袋１１への空気の給排気制御によりマッサージ施療を行う制御部２０とを備え、上記制御部２０で、間にマッサージ施療を行う施療モードを挟んだマッサージ開始時及びマッサージ終了時に施療者の脚の太さを検出する脚型検出モードを設けたマッサージ制御を行うようにし、マッサージ開始時に脚型検出モードにて検出した脚の太さとマッサージ終了時に脚型検出モードにて検出した脚の太さとの違いを、マッサージ前後の脚の太さの変化として施療者に通知する通知部２６を設けたことを特徴とする。これによると、空気圧検出部２４での検出値をもとに施療者の脚の太さを判断すると共に上記判断に基いた空気袋１１への空気の給排気制御によりマッサージ施療が行われるので、個々施療者に対してその脚の太さに応じた適当なマッサージ施療が可能になる。そして、マッサージ開始時及びマッサージ終了時の各々の脚の太さを比較して、施療モードでの施療効果を、マッサージ前後の脚の太さの変化として、通知部２６を介して施療者に教示することができる。
【０００７】
また、請求項２に係るマッサージ機は、請求項１において、施療者の脚の長さ方向に沿わせるべく複数の空気袋１１を並べて配置すると共に各空気袋１１に対応して空気圧検出部２４を複数設け、上記制御部２０で、各空気圧検出部２４での検出値をもとに各空気袋１１が施療する施療者の脚の部位を判断すると共に、上記判断した施療者の脚の部位に応じて各空気袋１１に個別の給排気制御を行うようにしたことを特徴とする。これによると、個々施療者に対して脚の部位に応じた適当なマッサージ施療が可能になる。
【０００８】
また、請求項３に係るマッサージ機は、請求項２において、上記制御部２０で、各空気袋１１が施療する施療者の脚の部位を、各空気圧検出部２４での検出値を基にして、ふくらはぎ部位とそれ以外の部位とに分けて判断すると共に、上記判断したふくらはぎ部位とそれ以外の部位に応じて各空気袋１１に個別の給排気制御を行うようにしたことを特徴とする。これによると、骨や筋肉といった主要の構成要素や太さが大きく異なるふくらはぎ部位とそれ以外の部位に応じた適当なマッサージ施療が可能になる。
【００１０】
請求項４に係るマッサージ機は、請求項１において、上記制御部２０で、空気袋１１に空気を給気した際の空気圧検出部２４での検出の有無をもとに施療者の有無を判断するようにしたことを特徴とする。これによると、マッサージ施療に必要な空気圧検出部２４を用いて施療者の有無を確認できる。
【００１１】
請求項５に係るマッサージ機は、請求項１において、上記制御部２０で、マッサージ施療の途中で自動または施療者の手動操作により、施療者の脚の太さを、各空気圧検出部２４での検出値を基にして新たに判断すると共に、それ以後のマッサージ施療を上記新たな判断に基いて行うようにしたことを特徴とする。これによると、マッサージ施療の途中に変化した施療者の施療姿勢にも追従して適当なマッサージを施療し続けることができる。
【発明の効果】
【００１２】
本発明は、個々施療者に対してその脚型に応じた適当なマッサージ施療が可能になる、といった利点を有する。
【発明を実施するための最良の形態】
【００１３】
以下、本発明を添付図面に示す実施形態に基いて説明する。
【００１４】
本例のマッサージ機１は、図１乃至図１１のように、座部２と背凭れ部３とで成る椅子本体１ａの座部２の前部に脚載せ台５を設けて構成された椅子式マッサージ機１である。背凭れ部３は座部２の後部にリクライニング自在（傾倒自在）に設けられており（図２矢印Ａ）、すなわち施療者は上体を寝起きさせて椅子本体１ａに座ることができる。この背凭れ部３には椅子本体１ａに座った施療者の背中にマッサージを施す機械式施療装置６が配設されている。なお、機械式施療装置６は、背凭れ部３の長さ方向（高さ方向）に移動自在に設けた本体部６ａに、背凭れ部３の幅方向及び背凭れ部３の背凭れ面に突没する方向に往復駆動するような施療子６ｂが設けられて構成され、施療者の背中や肩部に対して叩きマッサージや揉みマッサージや掴みマッサージ等のマッサージ施療を施し得るようにしたものである。座部２はその両側方に肘掛け部７がそれぞれ設けられて構成されている。この肘掛け部７の対向面には空気給排気装置８による空気の給排気によって膨張収縮する大腿施療用の空気袋９が配置され、この空気袋９で施療者の大腿の側部に対してエアマッサージのマッサージ施療を施し得るようにしてある。脚載せ台５は施療者の膝下部分（以下、脚部という）を載せる部位であり、座部２の前部を軸中心として上下方向にリクライニング自在（傾倒自在）に設けられている（図２矢印Ｂ）。すなわち施療者は脚を曲げた状態、脚を伸ばした状態で椅子本体１ａに座ることができる。
【００１５】
この脚載せ台５には左右の脚部をそれぞれ位置させるために脚部の長さ方向に延びるように形成された１対の凹形状の溝部１０が脚載せ台５の幅方向に並設されており、この溝部１０の内面部には空気給排気装置８による空気の給排気によって膨張収縮する脚部施療用の空気袋１１が配置され、この空気袋１１で施療者の脚部に対してエアマッサージのマッサージ施療を施し得るようにしてある。脚部施療用の空気袋１１は、施療者の脚部の長さ方向に沿って当てるべく、上記脚部の長さ方向と同方向である溝部１０の溝長さ方向に並べるようにして溝部１０内に複数個配置されている。本例では３つの空気袋１１ａ，１１ｂ，１１ｃを溝部１０に並べて配置させているが任意数の空気袋１１ａ…を配置できる。なお、本例の脚部施療用の空気袋１１は溝部１０の対向する両側面に配置されて同様に膨縮する左空気袋１２と右空気袋１３とで構成されているが、図１２のように上記左空気袋１２と右空気袋１３に加えてこれら左空気袋１２と右空気袋１３との間の溝部１０の底面に配置されて同様に膨縮する底空気袋１４とで構成しても、左空気袋１２と右空気袋１３とのいずれか一方のみで構成してもよく、すなわち図５及び図６のように脚部の軸に向けて周方向から押し当ててマッサージを施し得るようにされていればよい。
【００１６】
更に言うと、本例の脚載せ台５の溝部１０は、溝長さ方向における座部２と反対側の部位（回動先端側の部位）に施療者の足裏に対向する遮蔽壁１５が設けられており、この遮蔽壁１５に空気給排気装置８による空気の給排気によって膨張収縮する足裏施療用の空気袋１６が配置され、この空気袋１１で施療者の足裏に対してエアマッサージのマッサージ施療を施し得るようにしてある。なお、本例では足裏施療用の空気袋１１は溝部１０の幅方向に一対並設されているが、内側の空気袋１１は施療者の土踏まずを施療する土踏まず施療用の空気袋１６ａとなっている。これら溝部１０に設けられた各空気袋１１，１６は、図３及び図４のようにそれぞれ溝部１０の内面に沿わせてネジ等の固定具２７にて固定され、空気袋１１に空気が供給されたときには溝部１０の内方に向けて膨張できるようにされている。なお図４中２８は後述する供給管２２を脚載せ台５に固定する固定具である。
【００１７】
なお、施療者にエアマッサージのマッサージ施療を施す空気袋１１としては、図１２のように背凭れ部３に背部及び肩部施療用の空気袋１７、腰部施療用の空気袋１８を加えて設けることも好ましい。各々のマッサージ操作は使用者による操作部１９の操作によって制御部２０を介して行われる。背凭れ部３や脚載せ台５のリクライニング操作は手動で動かしてもよいが、本例では施療者による操作部１９の操作により制御部２０を介して電動で行われるようにされている。
【００１８】
ここで、図１（ｂ）には脚部施療用の空気袋１１における空気給排気装置８の概略構成図を示す。脚部施療用の空気袋１１には空気ポンプ２１から延びる可撓性を有する供給管２２が接続され、この供給管２２には電磁弁からなる弁体２３、空気圧を計測する空気圧検出部２４、空気タンク２５が空気袋１１側から順に配置されている。本例では、空気袋１１ａ，１１ｂ，１１ｃ毎に、これら弁体２３、空気圧検出部２４、空気ポンプ２１、空気タンク２５がそれぞれ配設されている。そして、弁体２３、空気圧検出部２４及び空気ポンプ２１には操作部１９に接続された制御部２０が接続されており、下記のように空気圧検出部２４の検出値を基にして制御部２０の制御によって弁体２３及び空気ポンプ２１を制御駆動して脚部に適当なエアーマッサージを施し得るようにされている。
【００１９】
本例のマッサージ機１では、施療者の脚部にエアーマッサージを施す施療モードに加えて、施療者の脚型を検出する脚型検出モードを備えている。つまり、脚型検出モードで、脚部施療用の空気袋１１に一定量の空気を供給して膨張させて脚部に当て、そのときに脚部にかかる施療圧に対応する空気袋１１（供給管２２）の空気圧を空気圧検出部２４で検出し、この検出結果をもとに制御部２０で施療者の脚型を判断するのであり、その後に行う施療モードで制御部２０によって上記判断に基く空気袋１１への空気の給排気制御を行って脚部に適当なマッサージ施療を施すようにしているのである。具体的に、脚型検出モードにおいて空気圧検出部２４で各空気袋１１の空気圧を検出し、これらの検出結果から制御部２０で施療者の脚の太さ（太いか細いかまたは標準か）を判断すると共に、各空気袋１１が当たる脚部の部位（脚部のふくらはぎ部位かそれ以外の脚部の部位（たとえば足首部）か）を判断するのである。たとえば、脚型検出モード時に空気圧検出部２４で検出した空気袋１１（１１ａ，１１ｂ，１１ｃ）の空気圧が全体的に高い値であれば制御部２０で施療者の脚が太いと判断されるのであり、脚型検出モード時に空気圧検出部２４で検出した空気袋１１（１１ａ，１１ｂ，１１ｃ）のうち空気圧が他の空気袋１１（たとえば図５及び６では空気袋１１ｃ）に比べて高い場合にはその空気袋１１（たとえば図５及び６では空気袋１１ａ，１１ｂ）は施療者のふくらはぎ部位に当たることと判断されるのである。
【００２０】
ここで、脚型検出モードで施療者の脚の太さが標準よりも太いと制御部２０にて判断された場合には、図７のように、施療モードでは制御部２０によって施療者の脚の太さが標準と判断された場合に比べて空気袋１１をゆっくり膨張させる給排気制御が行われる。この給排気制御は、具体的には図９のように、一定に空気ポンプ２１を駆動させた上で、弁体２３を一定時間の開状態と一定時間の閉状態とを繰り返し切換え、単位時間あたりの空気袋１１への空気供給量を抑制するといった制御で行われる。一方、脚型検出モードで施療者の脚の太さが標準よりも細いと制御部２０にて判断された場合には、図７のように、施療モードでは制御部２０によって施療者の脚の太さが標準と判断された場合に比べて空気袋１１をすばやく膨張させる給排気制御が行われる。この制御部２０による給排気制御は、具体的には図１０のように、一定に空気ポンプ２１を駆動させた上で、弁体２３を開状態に維持して単位時間あたりの空気袋１１への空気供給量を増加させるといった制御で行われる。このように、脚が太い施療者に対しては空気袋１１をゆっくり膨張させる制御がなされたり、脚が細い施療者に対しては空気袋１１をすばやく膨張させる制御がなされることで、脚の太さが標準の施療者と略同様のタイミングで空気袋１１を当てることができて所定時間のマッサージを施すことができるのであり、つまり体格の異なる施療者によっても脚部に一定時間の快適なマッサージ施療を施すことができるのである。
【００２１】
また、これ加えて、脚型検出モードで施療者の脚の太さが標準よりも太いと制御部２０にて判断された場合には、施療モードでは制御部２０は施療者の脚の太さが標準と判断された場合に比べて弁体２３の開状態の時間を短くして空気袋１１への空気供給量を抑制させて、脚部に過度のマッサージ圧力でエアーマッサージが施されることを回避させたり、一方、脚型検出モードで施療者の脚の太さが標準よりも細いと制御部２０にて判断された場合には、施療モードでは制御部２０は施療者の脚の太さが標準と判断された場合に比べて弁体２３の開状態の時間を長くして空気袋１１への空気供給量を増加させて、脚部に所定のマッサージ圧力でエアーマッサージを施すようにしている。これにより、脚の太い細いにかかわらず各施療者に略一定のマッサージ圧力で快適なエアマッサージを施すことを可能にしている。
【００２２】
また、脚型検出モードで施療者の脚部のふくらはぎ部位に当たると制御部２０にて判断された空気袋１１は、脚部のふくらはぎ以外の部位に当たると判断された空気袋１１よりも、施療モードでは制御部２０によって弁体２３の開状態の時間を長くして空気袋１１への空気供給量が増加されて大きく膨張するようにされ、図８のように、脚部のふくらはぎ部位に比較的強めのエアーマッサージを施すようにされる。一方、脚型検出モードで施療者の脚部のふくらはぎ以外（たとえば足首部）に当たると判断された空気袋１１は、脚部のふくらはぎ部位に当たると判断された空気袋１１よりも、施療モードでは制御部２０によって弁体２３の開状態の時間を短くして空気袋１１への空気供給量が抑制されて空気袋１１の膨張を抑制するようにされ、図８のように、脚部のふくらはぎ以外の部位に比較的弱めのエアーマッサージを施すようにされる。脚部のふくらはぎ部位は筋肉質であって快適なマッサージ感を感じるには比較的マッサージ圧力の強めのマッサージ施療が適当であり、一方、脚部のふくらはぎ以外の部位（たとえば足首部）は骨張っていて快適なマッサージ感を感じるには比較的マッサージ圧力の弱めのマッサージ施療が適当であることから、上述の制御部２０による各空気袋１１毎の給排気制御によると、脚部のふくらはぎ部位及びふくらはぎ以外の部位にそれぞれ適当なマッサージ圧力でのエアーマッサージを施すようにできるのである。なお、本例の制御部２０では、骨や筋肉といった主要の構成要素や太さが大きく異なるふくらはぎ部位とそれ以外の部位との２つの部位に大別して判断するようにして制御部２０の簡易化を図っているが、脚部の部位を多部位に分けて判断して各部位に適当なマッサージを施すようにしてもよいのは言うまでもない。
【００２３】
また、これ加えて、脚型検出モードで施療者の脚部のふくらはぎ部位に当たると制御部２０にて判断された空気袋１１は、脚部のふくらはぎ以外の部位に当たると判断された空気袋１１よりも、施療モードでは制御部２０によって一定に空気ポンプ２１を駆動させた上で、弁体２３を一定時間の開状態と一定時間の閉状態とを繰り返し切換えるなど、単位時間あたりの空気袋１１への空気供給量を抑制する制御が行われる。脚部のふくらはぎ部位はそれ以外の部位（たとえば足首部）に比べて太い部分であるが、上記のように各空気袋１１が制御されることで脚部の各部に略同様のタイミングで空気袋１１を当てるようにできて、脚部の各部に一定時間の快適なマッサージ施療を施すことを可能にしている。
【００２４】
このように本例のマッサージ機１では、脚の太い細いにかかわらず各施療者に対して、空気袋１１を略同じマッサージ圧力で略同時間当てることができて快適なマッサージ施療を施すことができ、加えて、各施療者における脚の各部位に対して、脚の各部位に応じた適当なマッサージ圧力で快適なマッサージ施療を施すことができるのであり、異なる各施療者によっても一定の快適なマッサージ施療を施し得るようにされているのである。
【００２５】
実際には、本例のマッサージ機１では、背凭れ部３の機械式施療機構にも施療モードの他に施療者の位置検出モードが有って位置検出モード後の施療モード時には位置検出モードで検出した肩位置等の検出結果に基いて上記施療者の各部に応じたマッサージ施療が行われるようにされており、上述の脚型検出モードは上記位置検出モードと同時に行われ、具体的には足首側から膝側にかけて順に各空気袋１１を膨張させるようにして行われている。無論、脚型検出モードにおける空気袋１１の膨らませる順番は任意でもよく、また本例では空気袋１１毎に空気ポンプ２１や空気タンク２５が接続されているから同時に膨らませて短時間で脚型検出モードを終わらせるようにしてもよい。更に言うと、従来同様に本例のマッサージ機１でも、施療者の操作部１９の操作によってマッサージ施療の強さ調節を行い得るようにされている。また、上記脚型検出モードでは、同時に、空気圧検出部２４での検出の有無をもとに制御部２０にて施療者の有無を判断するようにしており、空気圧検出部２４での検出が無く制御部２０にて施療者がいないと判断した場合にはマッサージ施療を終了する制御がなされるようにされている。また、空気圧検出部２４での検出結果が、複数の空気袋１１のうち一部の空気袋１１の空気圧のみが異常に高く検出されるなど、異常検出と制御部２０で判断された場合には、子供の挟み込みや物の挟み込みが考えられるので、安全を考慮してマッサージ施療を終了する制御がなされるようにされている。
【００２６】
また、本例のマッサージ機１では、間に施療モードを挟んだマッサージ開始時及びマッサージ終了時にそれぞれ脚型検出モードが運転されるようにされており、各脚型検出モードによってマッサージ開始時の脚型とマッサージ終了時の脚型とをそれぞれ検出するようにされている。マッサージ開始前にはむくんでいた脚はマッサージ施療を施した後のマッサージ終了後にはむくみが取れたりしてマッサージの前後で脚型に変化が生じることもあり、マッサージ開始時及びマッサージ終了時の各脚型を制御部２０にて比較することで施療モードでの施療効果を確認することができる。そして、本例のマッサージ機１には通知部２６が制御部２０に接続してあり、この通知部２６によって上記施療モードでの施療効果を施療者に教示するようにしている。通知部２６としては、たとえば施療モードでの施療効果を表示して知らせる表示装置や、施療モードでの施療効果をアナウンスやブザーを発して知らせる報知装置、施療モードでの施療効果を微振動で知らせるバイブレータ装置などが挙げられる。これにより、施療者は通知部２６を介して施療モードでの施療効果を知ることができ、マッサージ効果の有用性を認識することができる。
【００２７】
また、本例のマッサージ機１では、上記脚型検出モードがマッサージ施療の途中で適宜行われて施療者の脚型を新たに判断すると共に、それ以後のマッサージ施療を上記新たな判断に基いて行うことができるようにされている。背凭れ部３の回動動作があった場合、若しくは脚載せ台５の回動動作があった場合、若しくはその両方の動作があった場合には、脚載せ台５に対する施療者の脚部の位置が変化する。たとえば、図１１の実線のように施療者の脚部を位置させた略垂直状態にある脚載せ台５が上方に回動されると、図１１の点線のように脚載せ台５に対する施療者の脚部の位置が回動先端側にずれてしまう。このように脚載せ台５に対する施療者の脚部の位置が回動先端側にずれてしまうと、本来は脚部のふくらはぎ以外の部位（たとえば足首部）に当たる空気袋１１がふくらはぎの部位に当たることとなり、脚部のふくらはぎの部位に適したマッサージ施療を行うことができなくなってしまうのであるが、本例ではマッサージ施療の途中でも脚載せ台５に対する施療者の脚部の位置が変化した後に脚型検出モードを行って施療者の脚型を新たに判断すると共に、それ以後のマッサージ施療を上記新たな判断に基いて行わせたことで、マッサージ施療の途中に変化した施療者の施療姿勢にも追従して適当なマッサージを施療し続けることができるようにされているのである。具体的には、施療者が姿勢変更した後に操作部１９を操作することで制御部２０で施療モードに優先させて脚型検出モードを開始させたり、背凭れ部３の回動動作、脚載せ台５の回動動作、若しくはその両方の動作があった場合に制御部２０で自動的に施療モードに優先させて脚型検出モードを開始させることができるのである。
【００２８】
なお、図１（ｂ）の空気給排気装置８に代えて、図１３のような空気給排気装置８を用いてもよい。この空気給排気装置８は空気ポンプ２１から延びる供給管２２を空気圧検出部２４の下流で分岐させて脚施療用の各空気袋１１に対応した各弁体２３を介して接続されている。この場合、脚型検出モード時には、一の空気袋１１を膨らませているときには他の空気袋１１に対応する弁体２３は閉状態にされて他の空気袋１１が膨張しないようにして、一つずつ空気袋１１を膨らませて空気圧検出部２４で空気圧を検出することで、脚部の脚型を検出することができる。また、施療モード時には、制御部２０にて各空気袋１１に対応する各弁体２３を開閉制御することで、各空気袋１１を所定のスピードで膨らせたり所定の空気量を供給することができる。本例の空気給排気装置８は、図１（ｂ）の空気給排気装置８に比べて、空気タンク２５や空気ポンプ２１や空気圧検出部２４の個数を減らすことができ、空気給排気装置８、ひいてはマッサージ機１の構成の簡素化を図ることができたものである。
【００２９】
なお、上記実施形態では脚施療用の空気袋１１は溝部１０にその溝の長さ方向に３つ並べて設けたものを例示したが、溝部１０に設ける空気袋１１の個数を減らしてマッサージ装置の簡素化を図ったり、逆に空気袋１１の個数を増やして脚部の各部位に細かく対応して快適性を増したエアーマッサージを施すようにしてもよいのは言うまでもない。
【図面の簡単な説明】
【００３０】
【図１】本発明の実施の形態の例のマッサージ機であり、（ａ）はマッサージ機全体の概略側側面図であり、（ｂ）は空気給排気装置の概略構成図である。
【図２】同上のマッサージ機の全体斜視図である。
【図３】同上の脚載せ台の正面図である。
【図４】同上の脚載せ台の要部の側面図である。
【図５】同上の脚載せ台におけるマッサージ施療の動作説明図である。
【図６】同上の脚載せ台におけるマッサージ施療の動作説明図である。
【図７】同上の脚の太さの違いに応じたマッサージ施療の違いを説明するグラフである。
【図８】同上の脚の部位の違いに応じたマッサージ施療の違いを説明するグラフである。
【図９】同上の空気給排気装置の運転制御の例を示すグラフである。
【図１０】同上の空気給排気装置の運転制御の例を示すグラフである。
【図１１】同上の回動した脚載せ台に対する施療者の脚部の位置のずれを説明する説明図である。
【図１２】本発明の実施の形態の他例のマッサージ機全体の概略平面図である。
【図１３】本発明の実施の形態の更に他例のマッサージ機における空気給排気装置の概略構成図である。
【図１４】従来技術の問題点を説明するグラフである。
【符号の説明】
【００３１】
１  マッサージ機
２  座部
３  背凭れ部
４  椅子本体
５  脚載せ台
８  空気給排気装置
１０  溝部
１１  脚部施療用の空気袋
２０  制御部
２１  空気タンク
２２  供給管
２３  弁体
２４  空気圧検出部
２５  空気ポンプ
２７  通知部
【図１】
0004802633.tif 000002
【図２】
0004802633.tif 000003
【図３】
0004802633.tif 000004
【図４】
0004802633.tif 000005
【図５】
0004802633.tif 000006
【図６】
0004802633.tif 000007
【図７】
0004802633.tif 000008
【図８】
0004802633.tif 000009
【図９】
0004802633.tif 000010
【図１０】
0004802633.tif 000011
【図１１】
0004802633.tif 000012
【図１２】
0004802633.tif 000013
【図１３】
0004802633.tif 000014
【図１４】
0004802633.tif 000015